(57)【要約】【課題】蓋体の開閉動作時に蓋体の外部に付着した塵埃が装置内部に侵入することを適正に防止することが可能な蓋体開閉装置を提供する。【解決手段】記録再生装置の開口部から記録媒体の読取が行われる再生位置の間に形成される記録媒体移動経路上に、記録媒体移動経路を塞ぐ蓋体１と蓋体１を回動自在かつ往復移動自在に支持する蓋体ホルダ２とを配置する。蓋体１は記録媒体が挿入されるときには第１のガイドレール２２および第２のガイドレール２３に沿って第１の退避位置に移動する。蓋体１が第１の退避位置に移動する際には蓋体１が回動することがない。【選択図】図１
2005011423.tif 000002
【特許請求の範囲】
【請求項１】
記録媒体が挿入および排出される開口部と前記記録媒体の再生が行われる再生位置との間に形成される記録媒体移動経路を塞ぐ蓋体と、
前記記録媒体移動経路を塞ぐ基準位置から、前記記録媒体の挿入時に前記記録媒体移動経路を開放する第１の退避位置に向けて前記記録媒体の挿入方向への回動を規制しつつ前記蓋体を案内するガイドを有し、かつ、排出される記録媒体からの押圧力に起因するモーメントによって前記基準位置から、前記記録媒体の排出時に前記記録媒体移動経路を開放する第２の退避位置まで回動する前記蓋体を支持する支持部を有する蓋体支持部材と、
挿入される前記記録媒体からの押圧力を用いて、前記基準位置から前記第１の退避位置に前記蓋体を移動させる力を発生させる分力発生部材と、
前記蓋体に対して、前記第１の退避位置および前記第２の退避位置から前記蓋体を基準位置に戻す方向の力を加える付勢部材と、を備えたことを特徴とする蓋体開閉装置。
【請求項２】
前記蓋体は、挿入および排出される前記記録媒体の移動方向に直交する回動軸を中心に回動自在に前記蓋体支持部材に支持されており、
前記記録媒体移動経路を塞ぐ遮蔽板と、前記遮蔽板の外側面における前記第２の退避位置側の端部から前記外側面に直交する方向に突出する壁部材と、を含むことを特徴とする請求項１に記載の蓋体開閉装置。
【請求項３】
前記蓋体は、挿入および排出される前記記録媒体の移動方向に直交する方向に配置される回動軸部を備えており、
前記付勢部材が取り付けられる付勢部材取付部が、前記回動軸部の周面において、前記回動軸部の軸方向および前記記録媒体の前記移動方向に直交する方向に突出するように形成されることを特徴とする請求項１または２に記載の蓋体開閉装置。
【請求項４】
前記蓋体における前記遮蔽板の内側面に、前記回動軸部からの距離に比例して突出量が大きくなるリブを備えたことを特徴とする請求項２または３のいずれかに記載の蓋体開閉装置。
【発明の詳細な説明】
【０００１】
【発明の属する技術分野】
この発明は、ミニディスク等の記録媒体が挿入および排出される開口部と前記記録媒体の再生が行われる再生位置との間に形成される記録媒体移動経路の開閉を行う蓋体開閉装置に関する。
【０００２】
【従来の技術】
ミニディスク（ＭＤ）、フレキシブルディスク、またはＭＯディスク等の記録媒体の記録内容を読み取る記録再生装置には、記録媒体が挿入および排出される開口部が形成されている。そして、記録媒体の再生が行われる再生位置と開口部との間に記録媒体移動経路が形成されており、記録媒体移動経路を遮蔽または開放する蓋体を備えた蓋体開閉装置が配設される構成のものが多かった。
【０００３】
このような構成では、記録媒体の挿入時または排出時に記録媒体移動経路が開放されるように、かつ、記録媒体の挿入時および排出時以外の時には記録媒体移動経路が遮蔽されるように蓋体開閉装置が動作することにより、記録再生装置内に塵埃や水滴等が侵入することが適正に防止される。
【０００４】
図６は、記録再生装置に適用される従来の蓋体開閉装置の構成の一例を示す分解斜視図である。また、図７は、従来の蓋体開閉装置の一例を示す正面図である。なお、図６および図７において紙面の手前側から奥側に向かって記録媒体移動経路が形成される。
【０００５】
図６に示すように、蓋体開閉装置は、記録媒体移動経路を遮蔽または開放する蓋体１２１と、蓋体１２１を回動自在に支持する蓋体ホルダ１２２と、捩じりコイルスプリングであるスプリング１２３とからなっており、記録再生装置のキャビネットに取り付けられる。
【０００６】
蓋体１２１は、横長の長方形の板状を呈する遮蔽板１２１ａと、遮蔽板１２１ａの長手方向の両端部に配設された段付き円柱状の支軸１２１ｂと、支軸１２１ｂの端部に支軸１２１ｂの周面から半径方向に突出するリブ１２１ｃと、を備えている。さらに、挿入される記録媒体の先端に当接する前面ガイド板１２１ｄが遮蔽板１２１ａの外側面から突出しており、排出される記録媒体の先端に当接する図示しない後面ガイド板１２１ｆが遮蔽板１２１ａの内側面から突出している。なお、外側面とは記録再生装置の外側に対向し挿入される記録媒体が当接する面をいい、内側面とは記録再生装置の内側に対向し排出される記録媒体が当接する面をいう。
【０００７】
一方、蓋体１２１を回動自在の状態で支持する横長のフレーム部材で構成される蓋体ホルダ１２２は、記録媒体が通過する中空部が中央に形成されており、中空部の長手方向の両側にフレームの一部を切り欠いて軸受け部１２２ａが形成されている。また、軸受け部１２２ａの近傍にはリブ１２２ｃが形成されており、リブ１２２ｃを挟んで軸受け部１２２ａの反対側にバネ取り付けボス１２２ｂが配設されている。
【０００８】
蓋体１２１と蓋体ホルダ１２２とが組み立てられると、蓋体１２１に形成された支軸１２１ｂが、蓋体ホルダ１２２の軸受け部１２２ａに嵌合する。このため、軸受け部１２２ａに軸支された支軸１２１ｂを中心として蓋体ホルダ１２２に対して蓋体１２１が回動自在になる。さらに、そのコイル部１２３ａとバネ取り付けボス１２２ｂが嵌合するように蓋体ホルダ１２２にスプリング１２３が取り付けられ、スプリング１２３の端部１２３ｃおよび１２３ｂが、蓋体ホルダ１２２のリブ１２２ｃを跨いで両側から蓋体１２１のリブ１２１ｃに当接する。
【０００９】
図８は、記録媒体の挿入時または排出時における蓋体１２１の動作を示す図である。図９は、図８（ａ）〜（ｃ）に示すように動作する蓋体１２１におけるリブ１２１ｃの状態を示す図である。ここで、図８（ａ）および図９（ａ）は、蓋体１２１が記録媒体移動経路を塞いでいる状態を示しており、図８（ｂ）および図９（ｂ）は、記録媒体の挿入時の蓋体１２１の状態を示しており、図８（ｃ）および図９（ｃ）は、記録媒体の排出時の蓋体１２１の状態を示している。
【００１０】
図９（ａ）に示すように、蓋体ホルダ１２２のバネ取り付けボス１２２ｂに取り付けられたスプリング１２３の端部１２３ｃおよび１２３ｂが、蓋体ホルダ１２２のリブ１２２ｃを跨いで両側から蓋体１２１がリブ１２１ｃを挟み込んでつり合った状態となっている。
【００１１】
そして、図８（ｂ）に示すように、記録再生装置のキャビネット１２４に形成された開口部１２４ａより記録媒体１２５が矢印Ａ方向に挿入されると、蓋体１２１の前面ガイド板１２１ｄに記録媒体１２５の先端部１２５ａが当接し、挿入される記録媒体１２５の押圧力によって支軸１２１ｂを中心に図中の反時計方向に蓋体１２１が回動する。さらに矢印Ａ方向に記録媒体１２５が挿入されると、記録媒体１２５の上面部１２５ｂが前面ガイド板１２１ｄに対して摺動する状態となり、記録媒体１２５が開口部１２４ａ近傍を完全に通過すると、スプリング１２３の弾性力によって蓋体１２１が図８（ａ）に示す元の位置に復帰する。
【００１２】
一方で、図８（ｃ）に示すように、記録媒体１２５が機器本体内より矢印Ｂ方向に排出される場合は、まず記録媒体１２５の端部１２５ｃが蓋体１２１の後面ガイド板１２１ｆに当接し、排出される記録媒体１２５の押圧力によって支軸１２１ｂを中心に図中の時計方向に蓋体１２１が回動し、記録再生装置の外部に記録媒体１２５が排出される。記録再生装置から記録媒体１２５が完全に排出されると、スプリング１２３の弾性力により蓋体１２１が図８（ａ）に示す元の位置に復帰する。
【００１３】
上述の従来の蓋体開閉機構の構成によれば、記録再生装置の記録媒体移動経路を蓋体１２１によって適正に開放または遮蔽することが可能であった。さらに、従来技術の中には、記録媒体１２５が排出されるときに蓋体１２１を回動させることなく記録媒体移動経路から蓋体１２１を退避させることで、蓋体１２１が開口部から外部に突出することを防止して記録再生装置の外観の向上を図るものもあった（例えば、特許文献１参照。）。
【００１４】
【特許文献１】
特開平８−２４９８７０号公報
【発明が解決しようとする課題】
しかしながら、従来の蓋体開閉装置においては、記録再生装置に記録媒体を挿入する際に蓋体が記録媒体の挿入方向に回動するため、蓋体上に付着した塵埃等が記録媒体の挿入時に記録再生装置の内部に侵入することがあり、内部に侵入した塵埃が記録媒体再生装置の故障の原因になる虞があった。そして、蓋体上にたまった塵埃等をメンテナンス時に除去しようと試みても、蓋体が回動して塵埃を除去する作業が困難になるという不都合があった。
【００１５】
この発明の目的は、蓋体の開閉動作時に蓋体の外部に付着した塵埃が装置内部に侵入することを適正に防止することが可能な蓋体開閉装置を提供することである。
【００１６】
【課題を解決するための手段】
この発明は以下の構成を備えている。
【００１７】
（１）記録媒体が挿入および排出される開口部と前記記録媒体の再生が行われる再生位置との間に形成される記録媒体移動経路を塞ぐ蓋体と、
前記記録媒体移動経路を塞ぐ基準位置から、前記記録媒体の挿入時に前記記録媒体移動経路を開放する第１の退避位置に向けて前記記録媒体の挿入方向への回動を規制しつつ前記蓋体を案内するガイドを有し、かつ、排出される記録媒体からの押圧力に起因するモーメントによって前記基準位置から、前記記録媒体の排出時に前記記録媒体移動経路を開放する第２の退避位置まで回動する前記蓋体を支持する支持部を有する蓋体支持部材と、
挿入される前記記録媒体からの押圧力を用いて、前記基準位置から前記第１の退避位置に前記蓋体を移動させる力を発生させる分力発生部材と、
前記蓋体に対して、前記第１の退避位置および前記第２の退避位置から前記蓋体を基準位置に戻す方向の力を加える付勢部材と、を備えたことを特徴とする。
【００１８】
この構成においては、記録媒体移動経路上を塞ぐように配置され、記録媒体の挿入時および排出時に記録媒体移動経路から退避する蓋体が、記録媒体の挿入時には蓋体支持部材に形成されたガイドに沿って第１の退避位置に回動することなく移動する。
【００１９】
したがって、記録媒体の挿入時および排出時のいずれの場合でも記録媒体移動経路から円滑に蓋体が退避し、かつ、記録媒体の挿入時に蓋体が記録再生装置等の内部に入り込むように回動することがないため、記録媒体の挿入に伴って蓋体に付着している塵埃等が記録再生装置等の内部に侵入することが防止される。
【００２０】
（２）前記蓋体は、挿入および排出される前記記録媒体の移動方向に直交する回動軸を中心に回動自在に前記蓋体支持部材に支持されており、
前記記録媒体移動経路を塞ぐ遮蔽板と、前記遮蔽板の外側面における前記第２の退避位置側の端部から前記外側面に直交する方向に突出する壁部材と、を含むことを特徴とする。
【００２１】
この構成においては、記録媒体移動経路を塞ぐ遮蔽板と、遮蔽板の外側面における回動方向側の端部に外側面に直交する方向に突出した壁板等の壁部材とが蓋体に形成されている。
【００２２】
したがって、記録媒体の排出時に蓋体が回動しても、遮蔽板の外側面上に付着した塵埃等が記録再生装置のキャビネットの内部に侵入することが適正に防止される。
【００２３】
（３）前記蓋体は、挿入および排出される前記記録媒体の移動方向に直交する方向に配置される回動軸部を備えており、
前記付勢部材が取り付けられる付勢部材取付部が、前記回動軸部の周面において、前記回動軸部の軸方向および前記記録媒体の前記移動方向に直交する方向に突出するように形成されることを特徴とする。
【００２４】
この構成においては、蓋体の回動軸が記録媒体移動経路に直交するように配置されており、蓋体を基準位置に復帰させる付勢部材が取り付けられる付勢部材取付部が回動軸に直交し、かつ、記録媒体移動経路に直交する方向に突出するように回動軸部の周面に形成されている。
【００２５】
したがって、付勢部材取付部を介して単一の付勢部材から蓋体の回動軸部を所定の方向に移動させる力が加えられるだけでなく、蓋体の回動軸部を所定の方向に回動させる力が加えられるため、第１の退避位置に位置する蓋体を基準位置に復帰させ、かつ、第２の退避位置に位置する蓋体を基準位置に復帰させることが単一の付勢部材を用いることで実現される。
【００２６】
（４）前記蓋体における前記遮蔽板の内側面に、前記回動軸部からの距離に比例して突出量が大きくなるリブを備えたことを特徴とする。
【００２７】
この構成においては、蓋体の内側面に蓋体の回動中心から離れるほど突出量が大きくなる突出片が形成されている。
【００２８】
したがって、排出される記録媒体が蓋体の回動移動中心である軸部から離れた位置を押圧して、記録媒体からの押圧力によって発生するモーメントが大きくなるため、再生位置から記録再生装置の外部に記録媒体を排出させる際に大きな力が必要とならない。
【００２９】
【発明の実施の形態】
以下、図を用いて、本発明の蓋体開閉装置の実施形態を説明する。図１は、本発明の蓋体開閉装置の一実施形態を示す分解斜視図である。また、図２は本実施形態における蓋体開閉装置の平面図である。これらの図に示すように、本発明の蓋体開閉装置は、ミニディスク等の記憶媒体が挿入および排出される記録媒体移動経路を遮蔽する蓋体１と、記録再生装置のキャビネットに取り付けられるとともに蓋体１を往復移動自在かつ回動自在に支持する蓋体ホルダ２と、本発明の付勢部材を構成する引張コイルスプリングであるスプリング３を備えている。なお、本実施形態では、蓋体ホルダ２が本発明の蓋体支持部材を構成する。また、図１においては、矢印Ｙによって示す方向に記録媒体が挿入され、図２においては紙面に直交する方向に手前側から奥側へと記録媒体が挿入される。
【００３０】
同図に示すように蓋体１は、横長の平板状を呈する遮蔽板１１と、遮蔽板１１の外側面における短手方向の一端に、この外側面に直交するように形成されたリブ１５と、断面が略扇形状を呈し遮蔽板１１およびリブ１５の長手方向の両端部に配設される側面部材１９と、を備えている。
【００３１】
側面部材１９の周面に断面が円弧状の斜面１２が形成されており、斜面１２を含む側面部材１９が本発明の分力発生部材を構成する。さらに、側面部材１９の外側の側面には第１のガイドピン１３が形成されている。また、側面部材１９の断面を形成する扇形状の部分円の中心点近傍に蓋体１の回動軸を構成する第２のガイドピンが形成されている。第１のガイドピン１３および第２のガイドピン１４は共に円柱形状を呈している。本実施形態では、第２のガイドピン１４が本発明の回動軸部を構成する。
【００３２】
第２のガイドピン１４の周面には、記録媒体の挿入方向に直交するスプリング取付部材１６が半径方向に突出している。さらに、遮蔽板１１の内側面には、第２のガイドピンからの距離が長くなるのに比例して遮蔽板１１の内側面からの突出量が大きくなる三角リブ１７が配設されている。なお、遮蔽板１１の両側に配設される側面部材１９は互いに対称形状を呈している。
【００３３】
一方、蓋体１を支持する蓋体ホルダ２は、横長の長方形板状の正面板２１ｄと、正面板２１ｄの長手方向の両端部近傍において正面板２１ｄに直交し、かつ互いに対向する２枚の側面板２１ｂと、それぞれの側面板２１ｂの間に配設される梁部材２１ａと、蓋体ホルダ２の底面を構成する底板２１ｃを備えている。
【００３４】
ここで、側面板２１ｂの外側面が、第１のガイドピン１３を案内する第１ガイドレール２２を構成している。また、底板２１ｃの外側面が、第２のガイドピン１４を案内する第２ガイドレール２３を構成する。さらに、側面板２１ｂには第２のガイドピン１４が係合するレール状の凹部が形成されており、この凹部の端部２３ａによって第２のガイドピン１４が軸支される軸部が構成される。さらに、正面板２１ｄの長手方向の両端部から記録媒体の挿入方向に本発明の付勢部材を構成するスプリングを取り付けるためのスプリング取付部材２４が延設されている。スプリング取付部材２４は、上述の端部２３ａより記録媒体の挿入方向の下流側（図１において下側）に配置される。
【００３５】
蓋体１と蓋体ホルダ２とが組み立てられると、蓋体１の左右両側に配置される第１ガイドピン１３および第２ガイドピン１４と、蓋体ホルダ２の左右両側に配置される第１ガイドレール２２および第２ガイドレール２３とがそれぞれ係合する。そして、蓋体１と蓋体ホルダ２とが係合した状態でスプリング３が取り付けられる。
【００３６】
このとき、蓋体１の左右両側に配設されているスプリング取付部材１６にスプリング３の一端が取り付けられ、蓋体ホルダ２の左右に設けられたスプリング取付部材２４にスプリング３の他端が取り付けられる。
【００３７】
上述の構成において、蓋体１の第１ガイドピン１３および第２ガイドピン１４が、蓋体ホルダ２の第１ガイドレール２２および第２ガイドレール２３に沿ってスライドすることにより、蓋体ホルダ２における第１ガイドレール２２および第２ガイドレール２３に沿って蓋体１が移動する。本実施形態では、第１ガイドレール２２および第２ガイドレール２３が互いに平行であり、かつ、挿入および排出される記録媒体５の移動方向に直交する方向に形成されているため、蓋体１は第１ガイドレール２２および第２ガイドレール２３に沿って記録媒体５の前記移動方向に直交する方向に移動するが、第１ガイドレール２２および第２ガイドレール２３の形状を変えることにより、蓋体１を退避させる方向を変えることが可能になる。
【００３８】
また、蓋体ホルダ２に形成される上述の端部２３ａに当接する位置に第２のガイドピン１４が存在するときには、第２のガイドピン１４を中心に蓋体１が蓋体ホルダ２に対して回動可能になる。ただし、第１のガイドピン１３と第１のガイドレール２２とが当接しているときには、第１のガイドレール２２によって蓋体１が記録媒体の挿入方向に回動しないように規制される。これは、遮蔽板１１が記録媒体の挿入方向に回動することにより、遮蔽板１１の外側面に付着した塵埃等が記録再生装置の内部に侵入することを防止するためである。
【００３９】
さらに、蓋体１と蓋体ホルダ２とを組み立てた後において、第２のガイドピン１４が端部２３ａに接触し、かつ、第１のガイドピン１３と第１のガイドレール２２とが当接する方向にスプリング３が蓋体１に対して力を加えている。なお、蓋体１の側面部材１９に形成される斜面１２の形状は、本実施形態のような円弧状に限定されるものではなく、挿入される記録媒体からの押圧力から、スプリング３の弾性力に対抗して蓋体１を蓋体ホルダ２内で移動させる方向の分力を発生させる形状であればどのような形状であってもよい。
【００４０】
図３は、蓋体１に配設された側面部材１９付近の側面断面図である。ここで、図３（ａ）および図３（ｂ）は、同一の構成を示しているが、図３（ａ）は蓋体１を主体に示したものであり、図３（ｂ）は蓋体ホルダ２を主体に示したものである。これらの図３（ａ）および図３（ｂ）を用いて、記録媒体が記録再生装置の開口部を介して挿入および排出される時における蓋体開閉装置の各部の動作を説明する。
【００４１】
蓋体１および蓋体ホルダ２は、記録再生装置のキャビネット４における記録媒体の挿入および排出がされる開口部４１の内側に取り付けられており、キャビネット４に形成された記録媒体移動経路をキャビネット４の内側において塞ぐことができる位置に配置されている。ここで、開口部４１から記録媒体の再生がされる記録媒体の再生がされる再生位置までの間に記録媒体移動経路が形成されるが、この記録媒体移動経路に配置されて記録媒体移動経路を塞ぐときの蓋体１の位置を、蓋体１の基準位置とする。すなわち、基準位置に位置する蓋体１は、遮蔽板１１と平板状リブ１５によって開口部４１を略塞ぐ。
【００４２】
蓋体１が基準位置に位置するときに、図３（ａ）に示すように、蓋体１には反時計方向の回転力がスプリング３から加えられるが、上述のように第１ガイドピン１３が第１ガイドレール２２に当接することによって蓋体１が反時計方向に回動しないようになっている。
【００４３】
図４は、記録媒体を機器本体に挿入するときの、各部の一連の動作を示す側面断面図である。蓋体１が基準位置に位置している状態において、図４（ａ）に示すように、図に示す矢印Ａ方向に開口部４１から記録媒体５が挿入されると、記録媒体５の先端部５１が蓋体１の側面部材１９の斜面１２に当接し、挿入される記録媒体の押圧力によって、第１ガイドレール２２および第２のガイドレール２３に沿って蓋体１を移動させる分力が発生する。第１ガイドレール２２および第２のガイドレール２３に沿って蓋体１が記録媒体移動経路外の第１の退避位置に移動することにより記録媒体移動経路が開放され記録媒体５が記録再生装置の内部に挿入される。
【００４４】
図４（ｂ）は、蓋体１の第１ガイドピン１３および第２ガイドピン１４が蓋体ホルダ２の第１ガイドレール２２および第２のガイドレール２３に当接しつつ、蓋体１が図に示す矢印Ｄ方向へ水平移動する状態を示している。記録媒体移動経路が開放された後もさらに記録媒体５が矢印Ａ方向に記録再生装置内部に挿入されることにより、蓋体１がさらに水平移動し、図４（ｃ）に示すように記録媒体５は、側面部５２が側面部材１９に摺動しつつ記録再生装置の内部に挿入される。
【００４５】
図４（ｃ）に示すように蓋体１が第１の退避位置に位置する場合において、スプリング３の弾性力により、蓋体１を基準位置に戻す方向の力が蓋体１に対して加えられる。さらに、記録媒体５が開口部４１や蓋体１を完全に通過して再生位置に到達すると、スプリング３の弾性力により、蓋体１が上述の基準位置に復帰して、再び記録媒体移動経路が蓋体１によって塞がれる。
【００４６】
図５は、記録再生装置の外部に記録媒体が排出されるときの状態を示す図である。記録再生装置の内部の再生位置から記録媒体移動経路を介して図に示す矢印Ｂ方向に記録媒体５が排出される場合、図５（ａ）に示すように記録媒体５の後端部が蓋体１の裏面の三角リブ１７を押圧する。このとき、排出される記録媒体５の押圧力が作用する点に矢印Ｂ方向の力が加えられることにより、蓋体１を図中の時計方向に回動させるモーメントが発生する。
【００４７】
排出される記録媒体５の押圧力に起因して発生したモーメントによって、図５（ｂ）に示すように蓋体１の第２のガイドピン１４が端部２３ａに当接しつつ回動する。このとき、スプリング３の弾性力によって第２のガイドピン１４が端部２３ａから離間することがなく、回動中心がズレることがない。引き続き記録媒体５が矢印Ｂ方向に機器本体から排出されると、図５（ｃ）に示すように蓋体１がさらに回動して第２の退避位置に移動するため、記録媒体移動経路が開放される。その後、記録媒体５の側面部５ｂが裏面三角リブ１７に摺動しつつ記録再生装置の外部に排出される。
【００４８】
さらに、スプリング３は、蓋体１のスプリング取付部材１６と、蓋体ホルダ２のスプリング取付部材２４との間において大きく伸びた状態となる。スプリング３の一端が取り付けられるスプリング取付部材１６は第２のガイドピン１４の周面に直交するように形成されているため、スプリング３の弾性力によって蓋体１反時計方向に回動させるモーメントが発生し、蓋体１が基準位置に復帰する。
【００４９】
上述のように、本実施形態によれば、例えばオーディオ機器等の記録再生装置において、ＭＤ等の記録媒体を挿入および排出する際に蓋体に付着している塵埃が記録再生装置内部に侵入することを防止することが可能になる。また、記録再生装置から記録媒体５が排出されるときに、蓋体１が記録再生装置のキャビネット４の開口部４１から外部に突出して、記録再生装置の外観が損なわれるのを防止することが可能になる。
【００５０】
なお、本実施形態では、図２〜図４に示すように、蓋体１とキャビネット開口部４１との間にある程度の距離が設けられているが、蓋体１とキャビネット開口部４１をさらに接近させることも可能である。特に、本発明の蓋体開閉装置においては、側面部材１９の断面を構成する扇形状の部分円の中心点の近傍に第２のガイドピン１４が配置されており、第２のガイドピン１４から斜面１２までの距離が斜面の全域にわたって略均一であるため、蓋体１とキャビネット開口部４１を接近させても斜面１２がキャビネット４に引っ掛かって蓋体１が回動しないといった不都合が生じない。
【００５１】
また、蓋体１の遮蔽板１１における回動方向側端部に、壁面を形成するリブ１５を形成しているため、記録媒体５が排出される際に蓋体１が回動移動するときでも蓋体１上面に付着した塵埃等が、記録再生装置の内部に侵入することを防止できる。
【００５２】
さらに、蓋体１の回動中心、すなわち第２のガイドピン１４の中心にスプリングを取り付ける構成と異なり、第２のガイドピン１４の周面から突出したスプリング取付部材１６にスプリング３を取り付けているため、単一のスプリング３を付勢部材として用いることにより蓋体１を水平移動させ、かつ、回動させることが可能になる。
【００５３】
また、蓋体１の遮蔽板１１の内側面に、第２のガイドピン１４から離れるほど突出量が大きくなる突出片１７を設けているので、排出される記録媒体からの押圧力に起因するモーメントを大きくすることが可能になるため、再生位置から記録媒体を排出する際に記録媒体に加えるべき力を小さくすることが可能になる。例えば、記録再生装置の上面に開口部４１が存在する場合で、記録媒体の自重等を考慮する必要がある場合でも、円滑に蓋体１を回動させて第２の回避位置に移動させることが可能になる。なお、本発明では付勢部材としてスプリング３を用いているが、付勢部材として他の弾性部材を用いてもよい。
【００５４】
【発明の効果】
以上のように、この発明によれば、以下の効果を奏することができる。
【００５５】
（１）記録媒体移動経路上を塞ぐように配置され、記録媒体の挿入時および排出時に記録媒体移動経路から退避する蓋体が、記録媒体の挿入時には蓋体支持部材に形成されたガイドに沿って第１の退避位置に回動することなく移動することにより、記録媒体の挿入時および排出時のいずれの場合でも記録媒体移動経路から円滑に蓋体を退避させ、かつ、記録媒体の挿入時に蓋体が記録再生装置等の内部に入り込むように回動することを防止しているため、記録媒体の挿入に伴って蓋体に付着している塵埃等が記録再生装置等の内部に侵入することを防止することが可能である。
【００５６】
（２）記録媒体移動経路を塞ぐ遮蔽板と、遮蔽板の外側面における回動方向側の端部に外側面に直交する方向に突出した壁板等の壁部材とを蓋体に形成したことにより、記録媒体の排出時に蓋体が回動しても、蓋体に遮蔽板の外側面に付着した塵埃等が記録再生装置の内部に侵入することがないため、遮蔽板の外側面上に付着した塵埃等が記録再生装置のキャビネットの内部に侵入することを適正に防止することが可能になる。
【００５７】
（３）蓋体の回動軸が記録媒体移動経路に直交するように配置されており、蓋体を基準位置に復帰させる付勢部材が取り付けられる付勢部材取付部を回動軸に直交し、かつ、記録媒体移動経路に直交する方向に突出するように回動軸部の周面に形成したことにより、付勢部材取付部を介して単一の付勢部材から蓋体の回動軸部を所定の方向に移動させる力を加えるだけでなく、蓋体の回動軸部を所定の方向に回動させる力を加えることができるため、第１の退避位置に位置する蓋体を基準位置に復帰させ、かつ、第２の退避位置に位置する蓋体を基準位置に復帰させることを単一の付勢部材を用いることで実現することが可能になる。
【００５８】
（４）蓋体の内側面に蓋体の回動中心から離れるほど突出量が大きくなる突出片を形成したことにより、排出される記録媒体が蓋体の回動移動中心である軸部から離れた位置を押圧して、記録媒体からの押圧力によって発生するモーメントが大きくなるため、記録媒体の排出時に必要となる力を低減させることが可能になる。
【００５９】
よって、蓋体の開閉動作時に蓋体の外部に付着した塵埃が装置内部に侵入することを適正に防止することが可能な蓋体開閉装置を提供することができる。
【図面の簡単な説明】
【図１】本発明の蓋体開閉装置の一実施形態を示す分解斜視図である。
【図２】本発明の蓋体開閉装置の一実施形態を示す平面図である。
【図３】蓋体と蓋体ホルダとの係合状態を示す側面の部分断面図である。
【図４】記録媒体の挿入時における蓋体開閉装置の動作を示す図である。
【図５】記録媒体の排出時における蓋体開閉装置の動作を示す図である。
【図６】従来の蓋体開閉装置の構成の一例を示す分解斜視図。
【図７】従来の蓋体開閉装置の組立状態を示す図である。
【図８】記録媒体の挿入時および排出時における従来の蓋体開閉装置の動作を示す図である。
【図９】記録媒体の挿入時および排出時における従来の蓋体開閉装置の動作を示す図である。
【符号の説明】
１−蓋体
２−蓋体ホルダ
３−スプリング
１１−遮蔽板
１２−斜面
１３−第１のガイドピン
１４−第２のガイドピン
１５−リブ
１６−スプリング取付部材
１７−三角リブ
２２−第１のガイドレール
２３−第２のガイドレール
２３ａ−端部
２４−スプリング取付部材
【図１】
2005011423.tif 000003
【図２】
2005011423.tif 000004
【図３】
2005011423.tif 000005
【図４】
2005011423.tif 000006
【図５】
2005011423.tif 000007
【図６】
2005011423.tif 000008
【図７】
2005011423.tif 000009
【図８】
2005011423.tif 000010
【図９】
2005011423.tif 000011